(57)【特許請求の範囲】
【請求項１】
−Ｘ線源の起動を必要とする調整可能の機能又はＸ線装置のスタンドの作動を必要とする調整可能の機能を含むリスクを伴う調整可能な機能のローカルグループは医療診断システムのサイトにおいてのみ調整でき、
−リスクを伴わない調整可能な機能のグローバルグループは前記医療診断システムから離れたサービスセンタとの交信に基づいて調整され、
ローカルグループとグローバルグループの調整可能な機能を調整するためのインストールプラットホームが設けられ、該インストールプラットホームは、新しくインストールされるローカルグループの機能が遠隔的に起動されることがないようにして、ローカルグループとグローバルグループの遠隔的に調整可能な機能のインストールを可能とする、
複数の調整可能な機能を有する医療診断システム。
【請求項２】
ローカルグループ及び／又はグローバルグループにおける調整が認証に基づいて調整可能である請求項１に記載の医療診断システム。
【請求項３】
新しく遠隔的にインストールされた機能が医療診断システムのサイトにおいて認証に基づいて起動することができる請求項１に記載の医療診断システム。
【請求項４】
インストールプラットホームは認証を受けるためのデータキャリアを受け入れるのに適した読取りユニットが設けられている請求項１に記載の医療診断システム。
【発明の詳細な説明】
【発明の詳細な説明】
【０００１】
本発明は複数の調整可能な機能を持つ医療診断システムに関する。
【０００２】
この種の医療診断システムは日本特許出願１−３０６０００号により知られている。
【０００３】
この既知の医療診断システムとして、例えば、画像処理プログラムがインストールされた診断ワークステーションがある。この画像処理プログラムの新しいバージョンはこの画像処理プログラムのメーカのサーバコンピュータに貯蔵されている。ローカルネットワークがインターネットを介してサーバコンピュータと交信を行う。サーバコンピュータは既知の医療診断ワークステーションにインストールされた画像処理プログラムが最も新しいものかどうかをチェックする。もしサーバコンピュータにより新しいバージョンが利用可能であれば、サーバコンピュータは既知の診断ワークステーションに既知の医療診断ワークステーションが接続されているインターネットとローカルネットワークを介してより新しいバージョンをダウンロードする；続いてサーバコンピュータは、画像処理プログラムの最も新しいバージョンを起動させるために関連する診断ワークステーションの“再−ブーティング”（“re-booting”）を提供する。画像処理機能はこのようにして遠隔的に調整される。実際には前のバージョンでインストールされていた画像処理機能のほんの僅かの適用が既知の診断ワークステーションにおいて実行されるだけである。
【０００４】
本発明の目的は、画像処理以外の機能が付加的に遠隔的に調整され、新たな調整の起動がより良く実行されるような医療診断ワークステーションを提供することにある。
【０００５】
この目的は、本発明による医療診断システムにより達成され、ここでは、
−調整可能な機能のローカルグループが医療診断システムのサイトにおいてのみ調整可能であり、
−調整可能な機能のグローバルグループは医療診断システムから離れたサービスセンターとの交信に基づいて調整される。
【０００６】
本発明によれば、ローカルグループ内の調整可能な機能は医療診断システムのサイトのみにおいて調整できる。したがって、ローカルグループの調整可能な機能は認証された形態においてのみ調整されるということが達成される。一方、本発明によれば、グローバルグループのリスクを伴わないような調整可能な機能を遠隔的に取り込むことにより、リスクを含まない調整可能な機能を調整することができる。
【０００７】
グローバルグループの調整可能な機能は遠隔的に調整される。したがって、インストールが疑わしくなく又はリスキーなものでない調整可能な機能は医療診断システムのサイトでインストールされる必要がなくなる。
【０００８】
医療診断システムは、例えば、Ｘ線源を含むＸ線検査装置である。Ｘ線源の起動を必要とする調整可能な機能は本発明によってローカルグループにおいて行われる。Ｘ線源の遠隔的な起動に関するリスクはこれにより回避される。Ｘ線装置のスタンドが作動することを必要とする調整可能な機能も、またローカルグループ内で取り上げられる。したがって、スタンドの動きへの監視されない持込に関するリスクは避けることができる。
【０００９】
本発明のこれらの或いは他の態様は、添付のクレームにおいて確定される下記の実施例を参照にして詳細に記載されるであろう。
【００１０】
本発明による医療診断システム好ましくはインストールプラットホームが設けられる。このようなインストールプラットホームは、ソフトウエアに基づいて種々の調整可能な機能のインストールを可能とするソフトウエアプラットホームである。例えば、インストールプラットホームは、新しい調整がまだ起動していないような医療診断システムにおけるローカルグループの調整可能な機能を遠隔的にインストールするために適するように配置される。このような起動は後のステージでオンサイトで行われ、そこでは、監視の下に、新しい調整が、あたかも医療診断システムに存在しているかのように、既に完全に準備完了の状態となっている。
【００１１】
本発明による医療診断システムは、認証の下に調整を実行するのが好ましい。
別個の認証がグローバルグループとローカルグループにとって実行可能である。使用がこのような認証によりなされると、医療診断システムの新しい調整がよりよく管理される。例えば、認証は調整を行う人のトレーニングのレベル応じてなされるようにすることもできる。認証は医療診断システムのユーザにより保持される権限に基づいて、例えば、新しい調整については既に支払いが終わっているか否かに応じて、発行されることもできる。
【００１２】
認証の検証のため、インストールプラットホームはデータキャリアを受入れることができる読取りユニットを備えることが好ましい。データキャリ上に記憶される認証は読取りユニットによりデータキャリアから読み込まれる。インストールプラットホームは読み取った承認に基づいてローカルグループの調整可能な機能を調整することを可能にする。更に、インストールプラットホームは読み取った調整に基づいて以前にインストールした調整を起動することも有り得る。本発明の態様に適合させて、データキャリアはユーザ、例えば保守技術者に保持される。データキャリアの認証は保持者の訓練及び／又は経験のレベルに依存する。
【００１３】
本発明のこれら或いは他の態様は、以下の実施例と添付図面を参照にして例示して以下に詳細に説明される。
【００１４】
図１は本発明による医療診断システムの模式図である。
【００１５】
図１は本発明による医療診断システムを模式的に示している。この医療診断システムは、この例においては、Ｘ線検査装置１に関するものである。Ｘ線検査装置１はＸ線源１２及び例えば、Ｘ線画像増強テレビジョンカメラ又はデジタルＸ線検出器１３が懸架されているスタンド１１を含む。Ｘ線検査装置は、また、データプロセッサ１４を含む。データプロセッサ１４は制御ユニット２１、データ処理ユニット２２を含む。インストールプラットホーム２は、また、データプロセッサ１４に含まれる。制御ユニット２１はＸ線源１２とスタンド１１の位置と動きを制御する。制御ユニット２１はＸ線検査装置が高度に自動的に動作するように制御プログラムがロードされている。Ｘ線検出器は、Ｘ線画像から、例えば電子ビデオ信号（ＥＶＳ）のような画像信号を生成する。データ処理ユニット２２は画像信号に関して画像処理を実行する。この目的のため、画像処理プログラムが画像信号を処理するようにデータ処理ユニットにロードされる。処理された画像信号は処理されや画像を表示するためのモニタ２３に供給される。それに替えて、処理された画像信号をデータ処理ユニットのメモリに記憶することもできる。
【００１６】
制御ユニット２１とデータ処理ユニット２２はＸ線検査装置１の種々の調整可能な機能を実行するための命令を持つプログラムを使用する。Ｘ線検査装置のデータプロセッサ１４は、例えば、Ｘ線検査装置が配置されている病院の内部ＩＴネットワークのようなローカルネットワークに接続されている。サービスセンタ３及びローカルネットワーク３０は共にワールドワイドウエブに接続されている。Ｘ線検査装置１はサービスセンタから監視され、Ｘ線装置が作動している間、画像の質が遠隔的に評価される。更に、グローバルグループの機能はサービスセンタから起動される。ローカルグループ３と同様にグローバルグループ４に新しい機能をサービスセンタからインストールすることも可能である。インストールプラットホームは、ワールドワイドウエブを介してサービスセンタ３のサーバコンピュータと交信する。サーバコンピュータは、既にインストールされた機能に対して、新しい機能のソフトウエア、即ち改良されたソフトウエアを配信する。ローカルグループの新しくインストールされた機能はサイトにおいてのみ、また有効な承認により起動することができる。このため、例えば、ユーザ又は保守技術者は、認証が記憶されている自分のチップカード６をインストールプラットホーム２の読取りユニット５に挿入する。インストールプラットホームは読み取られた認証に基づいて新しくインストールされた機能を起動する。例えば、Ｘ線源の発生器は、例えば、テストパターンのＸ線が画像を形成するように、Ｘ線の発射のためのＸ線源の起動が可能にされる。
【図面の簡単な説明】
【００１７】
【図１】本発明による医療診断システムの模式図である。
【図１】
0004455814.tif 000002